(57)【要約】容器の底部は、支持面と、蝶番と、第１の壁と、第２の壁とを備える。第１の壁は、支持面から蝶番への第１の方向に傾いている。第２の壁は、蝶番から遠ざかる第２の方向に傾いている。第２の壁は、実質的に第１の壁を動かすことなく、蝶番に対して位置を変えることができる。
2009511378.tif 000002
【特許請求の範囲】
【請求項１】
支持面と、
蝶番と、
前記支持面から前記蝶番への第１の方向に傾いた第１の壁と、
前記蝶番から遠ざかる第２の方向に傾いた第２の壁とを備え、
前記第２の壁は、実質的に前記第１の壁を動かすことなく、前記蝶番に対して位置を変えることができることを特徴とする容器の底部。
【請求項２】
熱充填して容器を密閉した後に、前記蝶番に対して前記第２の壁の位置を変えることで、容器内部の真空圧力が下がることを特徴とする請求項１に記載の容器の底部。
【請求項３】
前記第２の壁の中心に位置するセクションを更に備えることを特徴とする請求項２に記載の容器の底部。
【請求項４】
内部圧力の低減量は、前記第２の壁及び前記セクションに囲まれた領域の容器内部の体積に関係することを特徴とする請求項３に記載の容器の底部。
【請求項５】
前記第２の壁は、前記セクションに力を印加することで位置を変えることができることを特徴とする請求項３に記載の容器の底部。
【請求項６】
事前に位置を変えることで、前記セクション及び前記第２の壁は、前記支持面の向こうに広がらないことを特徴とする請求項３に記載の容器の底部。
【請求項７】
前記底部は、位置を変える前に、平面に立てるのに適用されることを特徴とする請求項３に記載の容器の底部。
【請求項８】
前記支持面及び少なくとも前記セクションの一部は前記平面に接することを特徴とする請求項７に記載の容器の底部。
【請求項９】
前記第１の壁は、複数の支持材を更に有することを特徴とする請求項１に記載の容器の底部。
【請求項１０】
前記第１の壁は、前記支持材同士の間において肋材を更に有することを特徴とする請求項９に記載の容器の底部。
【請求項１１】
前記肋材は、実質的に前記支持面から前記蝶番に延びることを特徴とする請求項１０に記載の容器の底部。
【請求項１２】
前記支持材は、ある角度で交差する２つの平面を有することを特徴とする請求項１０に記載の容器の底部。
【請求項１３】
前記第２の壁は、前記第２の壁の位置を変えられるように、位置を変える際に収縮する複数の折り目を更に有することを特徴とする請求項１に記載の容器の底部。
【請求項１４】
前記第２の壁の位置を変えると、前記第２の壁は容器の外側に延びた状態から容器の内側に延びた状態に移動することを特徴とする請求項１に記載の容器の底部。
【請求項１５】
容器内への開口を持つ上部と、
前記上部の下に配置され、容器の内部を規定する容器本体と、
前記上部とは反対側の容器の端において前記容器本体に隣接した底部とを備え、
前記底部は、
蝶番と、
前記容器本体と前記蝶番の間に設けられ、前記容器の内側に傾いた第１の壁と、
前記蝶番に隣接し、前記容器の内側から傾き、前記蝶番に対して位置を変えることができる第２の壁とを有することを特徴とする容器。      
【請求項１６】
熱充填と容器の密閉の後に、前記蝶番に対して前記第２の壁の位置を変えることで、容器の内部圧力を低減することを特徴とする請求項１５に記載の容器。
【請求項１７】
前記底部は、
前記第２の壁の中央に配置されたセクションと、
前記第１の壁に隣接した支持面とを更に有することを特徴とする請求項１６に記載の容器。
【請求項１８】
低減された内部圧力の量は、前記第２の壁と前記セクションに囲まれた領域の内部体積に関係することを特徴とする請求項１７に記載の容器。
【請求項１９】
前記セクションは、凹型、凸型又は平面の何れか１つであることを特徴とする請求項１７に記載の容器。
【請求項２０】
前記セクションは、前記第２の壁の位置を変えるための力を受けるものであることを特徴とする請求項１７に記載の容器。
【請求項２１】
前記上部と前記容器本体の間に結合された肩部を更に備えることを特徴とする請求項１５に記載の容器。
【請求項２２】
容器に製品を熱充填する工程と、
前記容器を密閉部で密閉する工程と、
前記熱充填された容器を冷却する工程と、
底部の蝶番に隣接した前記底部の壁を前記蝶番に対して外側に延びた位置から内側に延びた位置に変化させ、前記容器の内部圧力を低減させる工程とを備え、
位置を変化させる前に、前記容器を平面上に立たせることを特徴とする容器内の真空圧力の変化を補償する方法。
【発明の詳細な説明】
【技術分野】
【０００１】
本発明は、容器の底部の構造に関し、特に熱充填工程において容器内の真空圧力を低減するために蝶番に対して位置を変えることができる容器の底部に関する。
【背景技術】
【０００２】
従来、製造者は、プラスチック容器のプラスチック物質のガラス転移温度に近い高温、約８２℃で容器に製品を入れる熱充填工程を用い、その後に容器にキャップを被せる。容器と内容物が冷えると、内容物は縮む傾向があり、この体積変化により容器内に部分的な真空が作られる。これらの内部の体積及び気圧の変化に対応する手段が無いため、容器は歪み、及び／又は、潰れる傾向があった。例えば、円形容器は楕円になるか、又は、歪んで円形ではなくなる。他の形の容器も同様に歪む。容器の外観に悪影響を及ぼすだけでなく、歪みや変形により、容器は傾き、平面の上に置いた場合に不安定になる。
【０００３】
熱充填工程による容器内の部分的な真空を解消するために、製造者は容器の保全性を保つ様々な異なる方法を用いてきた。一つの公知の方法として、垂直方向の真空パネルが容器の側壁に形成される。真空パネルは、容器の体積を減らす内部の真空に応じて内側に収縮して、内部の真空圧力を低減する。しかし、熱充填工程による真空圧力を十分に低減させるには、このような真空パネルを容器のかなりの部分に設ける必要があり、視覚的な要求に合わなくなる。
【０００４】
内部の真空圧力を補償する他の公知の方法として、容器にパターン構造を形成するものがある。多くの形、カーブ及び曲がりのパターン構造を持つ容器の領域は、その領域におけるプラスチックの剛性を向上させる。しかし、熱充填工程にける体積変化に起因する容器の構造的保全性を保つためには、このようなパターン構造を容器のかなりの部分に設ける必要がある。パターン構造により容器のプラスチック量も増加し、これにより重量とコストが増加する。
【０００５】
従来技術の問題点を解消する改良された容器が求められている。
【発明の開示】
【０００６】
本発明は、以前に知られておらず、示唆もされていない改良により従来技術とは異なる。
【０００７】
本発明は、容器の底部、容器、及び、容器内の真空圧力の変化を補償する方法に関する。
【０００８】
容器の底部は、支持面と、蝶番と、前記支持面から前記蝶番への第１の方向に傾いた第１の壁と、前記蝶番から遠ざかる第２の方向に傾いた第２の壁とを備え、前記第２の壁は、実質的に前記第１の壁を動かすことなく、前記蝶番に対して位置を変えることができる。
【０００９】
容器は、容器内への開口を持つ上部と、前記上部の下に配置され、容器の内部を規定する容器本体と、前記上部とは反対側の容器の端において前記容器本体に隣接した底部とを備える。前記底部は、蝶番と、前記容器本体と前記蝶番の間に設けられ、前記容器の内側に傾いた第１の壁と、前記蝶番に隣接し、前記容器の内側から傾き、前記蝶番に対して位置を変えることができる第２の壁とを有する。      
【００１０】
容器内の真空圧力の変化を補償する方法は、容器に製品を熱充填する工程と、前記容器を密閉部材で密閉する工程と、前記熱充填された容器を冷却する工程と、底部の蝶番に隣接した前記底部の壁を前記蝶番に対して外側に延びた位置から内側に延びた位置に変化させ、前記容器の内部圧力を低減させる工程とを備え、位置を変化させる前に、前記容器を平面上に立たせる。
【００１１】
更なる目的及び効果は、より良い実施例の構造及び機能と同様に、記載、図面、及び例を検討することで明らかになるだろう。
【図面の簡単な説明】
【００１２】
本発明の上記及び他の構成及び効果は、添付の図面に示されるように、以下の本発明のより良い実施例のより詳細な記述により明らかになるだろう。図面において、同じ参照番号は、同一、機能的に似ている、及び／又は、構造的に似ている構成要素を示す
【図１Ａ】図１Ａは、本発明に係る底部の構造を持つ容器の実施例を示す。
【図１Ｂ】図１Ｂは、本発明に係る底部の構造を持つ容器の実施例を示す。
【図１Ｃ】図１Ｃは、本発明に係る底部の構造を持つ容器の実施例を示す。
【図２】図２は、本発明に係る容器の実施例の断面図を示す。
【図３Ａ】図３Ａは、本発明に係る容器の底部の構造の他の実施例を示す。
【図３Ｂ】図３Ｂは、本発明に係る容器の底部の構造の他の実施例を示す。
【図３Ｃ】図３Ｃは、本発明に係る容器の底部の構造の他の実施例を示す。
【図３Ｄ】図３Ｄは、本発明に係る容器の底部の構造の他の実施例を示す。
【図３Ｅ】図３Ｅは、本発明に係る容器の底部の構造の他の実施例を示す。
【図３Ｆ】図３Ｆは、本発明に係る容器の底部の構造の他の実施例を示す。
【図３Ｇ】図３Ｇは、本発明に係る容器の底部の構造の他の実施例を示す。
【発明を実施するための最良の形態】
【００１３】
本発明の実施例について以下に詳細に述べる。実施例を示す上で、明確化のために特別な用語を用いた。しかし、本発明は、この選択された特別な用語に限定されるものではない。特定の実施例を示すが、これは説明するためである。当業者は、本発明の概念から離れることなく、他の構成を用い得ることが分かる。
【００１４】
本発明は、熱充填工程の後に製品を冷やすことによる容器の内部真空圧力を低減させるために、蝶番に対して位置を変えることができる容器の底部の構造に関する。図１Ａ−１Ｃは、本発明に係る底部の構造を持つ容器１００の実施例を示す。まず、図１Ａ−１Ｃを参照しながら、本発明を説明する。
【００１５】
本発明の実施例において、容器１００は、上部１０２、肩部１０４、容器本体１０６及び底部１０８を備える。容器１００の上部１０２は、容器１００内部への開口を持つ構造であり、密閉部（不図示）が取り付けられる。密閉部は、容器１００内に熱充填された製品を密閉するのに用いる装置であり、上部１０２を通って容器１００に空気が入るのを防ぐ。一つの実施例において、上部１０２は、捻って取り付けるキャップである密閉部が結合されるスレッド１１２を持つ。上部１０２のスレッド１１２にキャップを捻って取り付けることで、容器１００が密閉される。他の実施例において、容器１００を密閉するために、上部１０２に密閉プラグを取り付ける。当業者は、他の密閉部や密閉を用いることができる。
【００１６】
容器１００の肩部１０４は、容器本体１０６の頂上から上部１０２の底に延びる。一般的に、肩部１０４は、容器本体１０６から上部１０２の底に向かって狭くなる。肩部１０４は、デザインされた形でもよいし、容器１００から省略してもよい。肩部１０４は、パターン、形状、及び他の公知の幾何学的形状を持つか、又は、実質的に滑らかでもよい。図示のように、肩部１０４の底の幅は、容器本体１０６の頂上の幅に対応し、肩部１０４上部１０２に近付くにつれて内側に曲がって狭くなる。肩部１０４は、上部１０２に届く前に外側に曲がり、肩部１０４が上部１０２に届くと内側に曲がる。肩部１０４は他の形状でもよいし、他のパターンを含んでもよい。
【００１７】
容器１００の容器本体１０６は、底部１０８から肩部１０４に及び、容器１００の内部を規定する。容器本体１０６は上部１０２の下に配置されている。他の実施例において、もし肩部１０４が容器１００から省略された場合、容器本体１０６は上部１０２まで延びる。容器本体１０６は、公知の非対称又は対称な形状、例えば、円筒状、正方形、長方形、又は、他の幾何学的形状である。他の例として、容器１００の容器本体１０６は、パターン化された支持構造又は真空パネルを含む。パターン化された支持構造と真空パネルは、後段で詳細に説明するように、容器１００の構造的保全性を供給するのを助ける。
【００１８】
図示のように、容器本体１０６は、円筒状であり、助材１１４と多数の真空パネル１１６を有する。肋材１１４は、容器本体１０６上において窪んでいない部分に平行する窪んだ部分の配列である。真空パネル１１６は、肋材１１４よりも大きく窪んだ領域を持つ、実質的に平らな窪んだ部分である。代わりに、真空パネルは、握る領域を形成するように構成されていてもよい。他の真空パネルが知られている。本発明に係る容器は、異なるタイプの真空パネルを含む。肋材１１４は他のタイプ又は形状でもよく、肋材１１４と真空パネル１１６の容器本体１０６での位置を入れ替えてもよい。肋材１１４と真空パネル１１６は容器本体１０６から省略してもよく、他の位置に配置してもよい。
【００１９】
図１Ｂに示すように、底部１０８は、支持面１１８、第１の壁１２０、蝶番１２２、第２の壁１２４、及びセクション１２６を有する。底部１０８の支持面１１８は、底部１０８を平面に垂直に置いた場合に、平面に接触する容器１００の接触面である。支持面１１８が平面に接触して、平面が容器１００の下になった場合、容器１００は平面上に直立する。支持面１１８は、他の非対称又は対称な幾何学的形状に形成してもよい。
【００２０】
容器１００の第１の壁１２０は、容器本体１０６の底と蝶番１２２の間に位置する。第１の壁１２０は、支持面１１８から蝶番１２２の方向において、容器１００の内部に向かって傾いている。第１の壁１２０の傾きは、曲線、直線、又は曲線部と直線部の組み合わせである。第１の壁１２０には、底部１０８、第１の壁１２０及び容器１００の強度を増すために、肋材１３２が設けられている。一般的に、プラスチックで助材を形成すると、平坦又は滑らかな表面に比べて、助材の周りの領域でプラスチックの剛性が増す。従って、肋材１３２は底部１０８の構造の保全性を向上する。同様の理由により、肋材１１４は容器本体１０６を強化する。
【００２１】
一つの実施例において、第１の壁１２０は肋材１３２の間に支持材１３０を持つ。図示のように、肋材１３２と支持材１３０は隣接している。支持材１３０は、支持面１１８から蝶番１２２に延びている。肋材１３２も支持面１１８から蝶番１２２に延びている。しかし、図示のように、肋材１３２は支持面１１８と蝶番１２２の間の直線をなぞり、支持材１３０は第１の壁１２０上に形成された２つの表面である。支持材１３０は、ある角度で交差する２つの実質的に平らな部分であり、支持面１１８と蝶番１２２の間の直線から外側に延びている。
【００２２】
底部１０８の蝶番１２２は、第１の壁１２０と第２の壁１２４の接続部に位置する。後段で詳細に説明するように、容器１００が熱充填及び密閉された後に、第２の壁１２４は蝶番１２２に対して位置が変わる。蝶番１２２は、支持面１１８から隔てられた円形リングである。しかし、蝶番１２２は他の対称又は非対象の形状でもよい。
【００２３】
位置を変える前に、第２の壁１２４は蝶番１２２から遠ざかる方向に傾いている。この方向は容器１００の内部から遠ざかる方向でもある。第２の壁１２４はセクション１２６の方向に傾いている。第２の壁１２４の傾きは、曲線、直線、又は曲線部と直線部の組み合わせである。図示のように、第２の壁１２４は、蝶番１２２からセクション１２６に直線的に傾いている。本実施の形態に係る第２の壁１２４は、蝶番１２２に対して第２の壁１２４の位置を変えるのを容易にする折り目１２８を持つ。折り目１２８は第２の壁１２４の位置を変える際に収縮する。
【００２４】
セクション１２６は、第２の壁１２４の中央に位置し、容器１００の内部に対して凹型、凸型又は平坦である。セクション１２６は、蝶番１２２に対して第２の壁１２４の位置を変える機械的装置に採用されている。この機械的装置は、第２の壁１２４の位置を変えるために、セクション１２６に力を与える。
【００２５】
底部１０８の構造は、熱充填工程における容器１００の内部の真空圧力を低減させるために採用されている。容器１００が製品で熱充填され、キャップなどの密閉部で密閉された後、容器１００内の製品は冷却される。製品の冷却により、容器１００の内部の真空圧力は、製品の冷却及び収縮による製品の体積の低減により決まる。容器１００の内部の真空圧力により、容器１００は内側にへこむ傾向がある。
【００２６】
容器１００の内部の真空圧力を解消するために、第２の壁１２４は蝶番１２２に対して位置が変わる。図１Ｃには、蝶番１２２に対して位置が変わった後の第２の壁１２４に係る実施例が示されている。位置を変える際に、第２の壁１２４は、容器１００から外側に延びた位置から容器１００の内部に延びた位置まで移動する。
【００２７】
第２の壁１２４の位置を変えることで、容器１００の内部の体積が低減する。この体積の低減により、冷却した製品の体積の収縮による容器１００の内部の真空圧力を低減することができる。低減する体積の量は、容器１００の底部１０８における第２の壁１２４とセクション１２６に囲まれた領域の体積に関係する。体積の低減は、第２の壁１２４が外側に延びた図１Ｂに示す容器１００と、第２の壁１２４が容器１００の内部に延びた図１Ｃに示す容器１００との間の内部の体積の差に関係する。
【００２８】
第２の壁１２４とセクション１２６に囲まれた空間の体積は容器１００の体積圧力の低減量を制御するのに用いられる。第２の壁１２４とセクション１２６に囲まれた空間の体積が大きいほど、内部圧力の低減が大きくなる。これは、容器１００の肋材１１４の量を制御するのに用いられ、顧客と熱充填処理者の要望に合う真空パネル１１６のサイズに影響する。特に、本発明に係る底部を用いて圧力を変化させることにより、助材及び／又は真空パネルの数と大きさを低減させることができる。当業者は、第２の壁の位置を変えることによる体積の変化量を計算することができ、それにより容器のデザインを調整することができる。
【００２９】
第１の壁１２０の剛性により、第２の壁１２４の位置が変わる間又は後において、第１の壁１２０の位置は変わらない。一つの実施例において、第１の壁１２０の強度により反転時における底部１０８の歪みが妨げられる。セクション１２６に力を加えて第２の壁１２４を反転させることで、容器１００のプラスチック物質にストレスが発生する。容器１００の歪みは、支持面１１８の折り畳み、底部１０８のプラスチックの歪み、又は容器１００の他の歪みの原因となる。肋材１３２と支持材１３０を含む底部１０８の構造により、第１の壁１２０は十分な強度を持ち、支持面１１８だけでなく容器１００と底部１０８の歪みを防ぐことができる。これにより、容器１００と第１の壁１２０は反転時にプラスチックのストレスに絶えることができ、反転後に容器１００を平面上に安定に立てることができる。
【００３０】
第２の壁１２４の位置を変えることでは補償されない残りの真空を補償するために、容器１００には真空パネル１１６と肋材１１４が設けられている。内部の真空圧力に応じて真空パネル１１６は内側に収縮して容器１００の体積を更に低減させ、肋材１１４の強度は残りの真空圧力に耐えることができる。位置を変えることができる第２の壁１２４と共に真空パネル１１６と肋材１１４を用いることで、容器１００内の真空を低減させる際容器１００の構造的保全性は保たれる。位置を変えることができる第２の壁１２４により、容器製造者は、熱充填工程に起因する内部の真空圧力ストレスに対して、容器の形状又は容器の保全性を犠牲にすることなく、容器の真空パネルと肋材を減らすことができる。位置を変えることができる第２の壁１２４により、容器のプラスチック物質を減らすことができ、容器のコストを減らすことができ、より軽い容器を搬送することになり搬送コストも低減する。
【００３１】
従来の方法に対して、容器１００は、容器１００を支持する構造を設けることなく、第２の壁１２４の位置を変える前に平面上に安定に立つことができる。図２は、第２の壁１２４の位置を変えるまえに平面Ｐに立っている本発明に係る容器の実施例の断面図を示す。位置を変えることができる第２の壁１２４を持つ容器１００が平面状に安定に立つようにするため、セクション１２６と第２の壁１２４は、容器１００から外側に向かって支持面１１８の向こうには延びず、容器１００の支持面１１８は平面に接触することができる。一つの実施例において、セクション１２６の少なくとも一部は平面に接する。支持面１１８は容器及び熱充填された製品の負荷に耐えるようにデザインされた容器１００の一部であり、平面に安定に立つことは有利である。セクション１２６が支持面１１８の向こう側に延びないようにすることで、容器１００が倒れないように支持する構造を設けなくても、処理の前及び途中で容器１００を立てておくことができる。これにより、容器を立てた状態で支持する構造を削除することができ、コストを削減することができる。容器１００の底部１０８により、熱充填工程による内部の真空圧力を低減させることができ、容器を処理する機械の間を搬送するための平面に容器を安定に立てておくことができる。
【００３２】
図３Ａ−３Ｇは、本発明に係る容器の底部１０８の構造の他の実施例を示す。それぞれの底部３０８Ａ−Ｇは、図１Ａ−１Ｃの底部１０８と同様の構造を有する。図３Ａ−３Ｇは、支持材３３０Ａ−Ｇと助材３３２Ａ−Ｇの構造が、前に述べた底部１０８とは最も顕著に異なる。図３Ａは、平らに突き出た支持材３３０Ａと平らに窪んだ肋材３３２Ａが交互に配置された底部３０８Ａの第１の壁３２０Ａを示す。図３Ｂは、ピラミッド型の肋材３３２Ｂと台形の支持材３３０Ｂを持つ底部３Ｏ８Ｂの第１の壁３２０Ｂを示す。図３Ｃは、多重同心円型のリッジ３４０Ｃを持つ底部３０８Ｃの第１の壁３２０Ｃを示す。図３Ｄは、助材又は支持材が無く、容器の内部に向かって支持面３１８Ｄから蝶番３２２Ｄに下がる底部３０８Ｄの第１の壁３２０Ｄを示す。図３Ｅは、肋材３３２Ｅと支持材３３０Ｅを持つ底部３０８Ｅの第１の壁３２０Ｅを示す。支持材３３０Ｅは支持面３１８Ｅと蝶番３２２Ｅで狭くなり、両者の真中で広がる。肋材３３２Ｅは支持面３１８Ｅと蝶番３２２Ｅで広がり、両者の真中で狭くなる。図３Ｆは、肋材３３２Ｆの間に平らな支持材３３０Ｆを持ち、それぞれ容器の内部に向かって凹んだ３つの四角い窪みがある第１の壁３２０Ｆを示す。図３Ｇに示された底部３０８Ｇは、折り目３２８を持つ支持面３１８と第１の壁３２０Ｇを備えている。第１の壁３２０Ｇの折り目３２８は、図１Ｂの実施例における第２の壁１２４の折り目１２８に似ている。図３Ａ−３Ｇは本発明に係る底部の構造の一例であり、当業者は、対称、非対称、非円形、又は他の形を持つ他の実施例を用いることができる。
【００３３】
容器１００は、公知のプラスチック材料により形成される。容器１００は例えば一体的な構造を持つ。そして、ポリアミド、例えばナイロン；ポリオレフィンなどのポリオレフィン、例えば低密度ポリエチレン（ＬＤＰＥ）又は高密度ポリエチレン（ＨＤＰＥ）、又はポリプロピレン；ポリエステル、例えばポリエチレンテレフタレート（ＰＥＴ）、ポ肋材チレンナフタレート（ＰＥＮ）；その他、物質の物理的又は化学的特性を変えるために添加物を加えたものなどの単層のプラスチック物質により形成することができる。例えば、酸素透過度を向上させるためにプラスチック樹脂を改良してもよい。また、容器１００は、多層のプラスチック物質により形成してもよい。層は新しい物質や再利用の物質を含む如何なるプラスチック物質でもよく、容器の物理特性を向上させるために添加物を加えたプラスチックや他の物質でもよい。上記の物質に加えて、例えばエチルビニールアルコール（ＥＶＯＨ）と接着層又は接着剤を含む多層プラスチック容器でもよい。例えば酸素を防ぐ特性を持つ単層又は多層の物質としてコーティングを用いてもよい。
【００３４】
容器１００は、プラスチック成形工程により形成される。容器１００は、延伸ブロー成形工程により形成される。この工程では、容器成形内においてプラスチック予備成形部を伸ばすために暖かいガスが用いられる。予備成形部は、細線の頂上を持つか、連続したプラスチックチューブを用いる。プラスチックチューブのブロー成型は、プラスチックチューブに針を刺し、針を通してガスを吹き込んでプラスチックチューブを拡張して、容器の形に成形する。さらに、容器１００を形成するために、注入ブロー成形、引き伸ばしブロー成形、又は押し出しブロー成形を含む他のブロー成形を用いることができる。
【００３５】
この明細書に記載された実施例は、本発明を実施するための最良の方法を当業者に示すことを意図されている。相対的な言葉と方向を示す言葉、例えば、上、下、内部などは、本発明の応用例として用いただけで、それに限定されるものではない。この明細書に記載されていないからといって本発明を限定すべきではない。記載した全ての例は代表例であり、これに限定されるものではない。上記の本発明の実施例は、本発明から逸脱しない範囲で、変形することができる。本発明は、実施例で記載した範囲を超えて、請求項及びそれと同等の範囲において実現できる。
【図１Ａ】
2009511378.tif 000003
【図１Ｂ】
2009511378.tif 000004
【図１Ｃ】
2009511378.tif 000005
【図２】
2009511378.tif 000006
【図３Ａ】
2009511378.tif 000007
【図３Ｂ】
2009511378.tif 000008
【図３Ｃ】
2009511378.tif 000009
【図３Ｄ】
2009511378.tif 000010
【図３Ｅ】
2009511378.tif 000011
【図３Ｆ】
2009511378.tif 000012
【図３Ｇ】
2009511378.tif 000013
【国際調査報告】
2009511378.tif 000014
2009511378.tif 000015